(57)【要約】【課題】現在の表示画像から次の表示画像へ表示を書き換えるときに、残像を抑えつつ、必要十分な書き換え動作を行うことが可能な画像書き換え制御装置を提供する。【解決手段】画像書き換え制御装置は、複数の画素を有する表示装置に供給された第１の画像データを所定の期間において消去する消去ステップおよび前記表示装置に第２の画像データを供給する書き込みステップを含む書き換え処理を行う書き換え手段と、前記第１の画像データ及び前記第２の画像データを記憶する記憶手段と、前記第１の画像データ及び前期第２の画像データについての付加情報を記憶する記憶手段と、前記付加情報に記憶された駆動パラメーターに基づいて、前記第１の画像データから前記第２の画像データに書き換えるときの、消去ステップと書き込みステップの駆動期間を制御する制御手段とを有する。【選択図】図１
2010197786.tif 000002
【特許請求の範囲】
【請求項１】
複数の画素を有する表示装置に供給された第１の画像データを所定の期間において消去する消去ステップおよび前記表示装置に第２の画像データを供給する書き込みステップを含む書き換え処理を行う書き換え手段と、
前記第１の画像データ及び前記第２の画像データを記憶する記憶手段と、
前記第１の画像データ及び前記第２の画像データについての付加情報を記憶する付加情報記憶手段と、
前記付加情報記憶手段に記憶された駆動パラメーターに基づいて、前記第１の画像データから前記第２の画像データに書き換えるときの、前記消去ステップと前記書き込みステップの駆動期間を制御する制御手段とを有することを特徴とする画像書き換え制御装置。
【請求項２】
前記駆動パラメーターは、前記第１の画像データを消去するときの前記消去ステップの回数、および前記第２の画像データを書き込むときの前記書き込みステップの回数を示すことを特徴とする請求項１に記載の画像書き換え制御装置。
【請求項３】
前記駆動パラメーターは、前記第１の画像データを消去するときの前記消去ステップの電圧の印加時間、および前記第２の画像データを書き込むときの前記書き込みステップの電圧の印加時間を示すことを特徴とする請求項１に記載の画像書き換え制御装置。
【請求項４】
請求項１〜３のいずれか一項に記載の画像書き換え制御装置と、
前記画像書き換え制御装置により駆動される表示装置とを有することを特徴とする情報表示装置。
【発明の詳細な説明】
【技術分野】
【０００１】
本発明は、画像書き換え制御装置および情報表示装置に関する。
【背景技術】
【０００２】
電気泳動表示素子等の記憶性表示素子を用いた情報表示装置が知られている。記憶性表示素子は表示を保持するためのリフレッシュ駆動が不要であるため、紙に近い表示品質を有し目に優しいという特徴がある。このような特徴を活かし、比較的長めの文書をじっくりと読むのに用いられる、電子ブックまたは電子ペーパーといわれる装置が開発されている。
【０００３】
電子ペーパーに表示される画像は、ユーザーの指示に応じて書き換えられる。例えば特許文献１は、電気泳動表示装置において表示内容の書き換えを行う方法を開示している。しかし、特許文献１に記載の方法によると、表示部に残像が生じてしまうことがある。残像を低減する技術として、特許文献２に記載の技術が知られている。特許文献２は、共通電極に高周波電圧を印加することを開示している。
【先行技術文献】
【特許文献】
【０００４】
【特許文献１】特開２００２−１４９１１５号公報
【特許文献２】特開２００４−３２５４８９号公報
【発明の概要】
【発明が解決しようとする課題】
【０００５】
しかしながら、特許文献２のように共通電極に高周波電圧を印加し続けると、消費電力が増加してしまうという課題があった。
【課題を解決するための手段】
【０００６】
本発明は、上記課題の少なくとも一つを解決するように、以下の適用例または形態として実現され得る。
【０００７】
〔適用例１〕本適用例の画像書き換え制御装置は、複数の画素を有する表示装置に供給された第１の画像データを所定の期間において消去する消去ステップおよび前記表示装置に第２の画像データを供給する書き込みステップを含む書き換え処理を行う書き換え手段と、前記第１の画像データ及び前記第２の画像データを記憶する記憶手段と、前記第１の画像データ及び前期第２の画像データについての付加情報を記憶する付加情報記憶手段と、前記付加情報記憶手段に記憶された駆動パラメーターに基づいて、前記第１の画像データから前記第２の画像データに書き換えるときの、前記消去ステップと前記書き込みステップの駆動期間を制御する制御手段とを有することを特徴とする。
この画像書き換え制御装置によれば、パラメーターに基づいて前記消去ステップと前記書き込みステップの制御が行われる。
【０００８】
〔適用例２〕上記適用例に記載の画像書き換え制御装置において、前記駆動パラメーターは、前記第１の画像データを消去するときの前記消去ステップの回数、および前記第２の画像データを書き込むときの前記書き込みステップの回数を示すことが好ましい。
この画像書き換え制御装置によれば、画像の書き換え制御動作のときに与えられた回数に基づいた消去ステップと書き換えステップ処理が行われる。
【０００９】
〔適用例３〕上記適用例に記載の画像書き換え制御装置おいて、前記駆動パラメーターは、前記第１の画像データを消去するときの前記消去ステップの電圧の印加時間および前記第２の画像データを書き込むときの前記書き込みステップの電圧の印加時間を示すことが好ましい。
この画像書き換え制御装置によれば、画像の書き換え制御動作のときに与えられた印加時間に基づいた消去ステップと書き換えステップ処理が行われる。
【００１０】
〔適用例４〕また、本適用例に記載の情報表示装置は、上記適用例に記載の画像書き換え制御装置と、前記画像書き換え制御装置により駆動される表示装置とを有することを特徴とする。
この情報表示装置によれば、パラメーターの代表値に基づいて画像の書き換え処理が行われる。
【図面の簡単な説明】
【００１１】
【図１】一実施形態に係る情報表示装置１の機能構成を示す図である。
【図２】情報表示装置１のハードウェア構成を示す図である。
【図３】情報表示装置１の外観を示す図である。
【図４】文書データの構造を示す図である。
【図５】文書データのうち、メタ情報データのパラメーター値を例示する図である。
【図６】情報表示装置１の動作を示すフローチャートである。
【発明を実施するための形態】
【００１２】
（１．構成）
図１は、本発明の一実施形態に係る情報表示装置１の機能構成を示す図である。操作手段２０は、ユーザーの操作に応じた信号を出力する。割り込み処理手段３０は、操作手段２０から出力された信号に応じて、表示すべき画像の生成を指示する割り込み信号を画像生成手段４０に対して出力する。画像生成手段４０は、割り込み信号に応じて、画像記憶手段７０から画像生成に関わるデータを読み出し、表示すべき画像（ページ画像）を示す画像データを生成し、生成した画像データを記憶手段５０に記憶させる。さらに画像生成手段４０は、表示装置６０に画像を表示させる命令を画像書き換え制御装置１０に出力する。また、画像生成手段４０は書き換え制御パラメーターを画像書き換え制御装置１０に出力する。この命令を受けた画像書き換え制御装置１０は、記憶手段５０から画像データを読み出し、この画像データに従った画像を、書き換え制御パラメーターに応じた制御により表示装置６０に表示させる。表示装置６０は、複数の画素を有する。
【００１３】
画像書き換え制御装置１０は、表示装置６０における画像の書き換えを制御する装置、すなわち、表示装置６０に画像データを供給し、表示装置６０を駆動する装置である。画像書き換え制御装置１０は、詳細には以下の構成を有する。書き換え手段１１は、表示装置６０に表示される画像を第１の画像から第２の画像に書き換える書き換え処理を行う。書き換え処理は、表示装置６０に供給された第１の画像を示すデータ（以下「第１の画像データ」という）を所定の期間において消去する消去ステップと、表示装置６０に第２の画像を示すデータ（以下「第２の画像データ」という）を供給する書き込みステップとを含む。付加情報記憶手段としての記憶手段１３は、書き換え手段１１による書き換え処理の、消去ステップと書き込みステップの制御パラメーターを記憶する。算出手段１４は、記憶手段１３に記憶されたパラメーターに基づいて、消去ステップと書き込みステップの書き換え期間を算出する。制御手段１２は、算出手段１４による算出値に従い、リフレッシュ処理を行うように書き換え手段１１を制御する。
【００１４】
図２は、情報表示装置１のハードウェア構成を示す図である。この例で、情報表示装置１は、電子ペーパーである。ＣＰＵ（Ｃｅｎｔｒａｌ  Ｐｒｏｃｅｓｓｉｎｇ  Ｕｎｉｔ）１０１は、情報表示装置１の構成要素を制御する制御装置である。ＲＯＭ（Ｒｅａｄ  Ｏｎｌｙ  Ｍｅｍｏｒｙ）１０２は、情報表示装置１の起動に必要なプログラムやデータを記憶する不揮発性の記憶装置である。ＲＡＭ（Ｒａｎｄｏｍ  Ａｃｃｅｓｓ  Ｍｅｍｏｒｙ）１０３は、ＣＰＵ１０１がプログラムを実行する際のワークエリアとして機能する記憶装置である。ＶＲＡＭ（Ｖｉｄｅｏ  Ｒａｎｄｏｍ  Ａｃｃｅｓｓ  Ｍｅｍｏｒｙ）１０４は、表示体１０７に表示させる画像（以下「メイン画像」という）を示すデータを記憶する記憶装置である。ＶＲＡＭ１０４は、メイン画像の記憶領域を有しており、メイン画像はその記憶領域に記憶される。Ｉ／Ｏ（Ｉｎｐｕｔ／Ｏｕｔｐｕｔ）１０５は、データや信号の入出力を管理するインターフェースである。ＵＩ（Ｕｓｅｒ  Ｉｎｔｅｒｆａｃｅ）ボタン群１０６は、ユーザーの操作に応じた信号を出力する装置、例えば、ボタン（書き換えボタンやページ送りボタン、決定ボタンなど）・キーパッド・ホイール・レバー・タッチパネル・ペンデバイスなどの操作子を含む入力装置である。補助記憶装置１１５は、表示体１０７に表示することが可能なデータを記憶する記憶装置である。ＵＩボタン群１０６はＩ／Ｏ１０５に接続されており、ＵＩボタン群１０６から出力された信号はＩ／Ｏ１０５を介してＣＰＵ１０１に入力される。タイマーＴは、時間を示す信号を出力する計時装置である。
【００１５】
表示体１０７は、記憶性表示素子である電気泳動表示素子を有する電気泳動ディスプレイー（Ｅｌｅｃｔｒｏｐｈｏｒｅｔｉｃ  Ｄｉｓｐｌａｙ、以下「ＥＰＤ」という）である。表示制御部１０８は、表示体１０７の描画制御を行う信号を出力する装置である。以下、必要に応じて表示体１０７と表示制御部１０８をあわせて「メインディスプレイー」という。電源オン・オフ回路１１１は、表示制御部１０８、ＣＰＵ１０１などの要素への電力の供給を行ったり停止したりする回路である。以下、ある構成要素に電力を供給することを「電源をオンする」と、電力の供給を停止することを「電源をオフする」という。電源制御部１１２は、情報表示装置１の電源管理を行う装置である。具体的には、電源制御部１１２は、電源オン・オフ回路１１１を制御して表示制御部１０８およびＣＰＵ１０１の電源をオンまたはオフする。また、電源制御部１１２は、電池１１３の残量を監視する。電池１１３は、表示制御部１０８、ＣＰＵ１０１、ＲＡＭ１０３など、情報表示装置１の構成要素に電力を供給する。バス１１４は、構成要素間での信号の伝送に用いられる伝送路である。
【００１６】
指紋センサー１１７は、ユーザーの指紋を静電的に読み取り、読み取った指紋の画像を示す信号を出力する装置である。指紋センサー１１７はＩ／Ｏ１０５に接続されており、指紋センサー１１７から出力された信号はＩ／Ｏ１０５を介してＣＰＵ１０１に入力される。
【００１７】
ＲＯＭ１０２は、以下で説明する処理を行う制御プログラムを記憶している。ＣＰＵ１０１がこの制御プログラムを実行することにより、図１に示される機能が情報表示装置１に実装される。ここで、表示制御部１０８は画像書き換え制御装置１０の一例であり、ＵＩボタン群１０６および指紋センサー１１７は操作手段２０の一例であり、ＣＰＵ１０１は割り込み処理手段３０および画像生成手段４０の一例であり、ＶＲＡＭ１０４は記憶手段５０の一例であり、表示体１０７は表示装置６０の一例である。
【００１８】
図３は、情報表示装置１の外観を示す図である。情報表示装置１は、筐体の前面に表示体１０７の表示面、およびＵＩボタン群１０６を有する。ＵＩボタン群１０６は、ページ送りボタン１０６ｂを有する。
【００１９】
図４は、文書データの構造を示す図である。文書データ２００は、表示文書の内容とその付加情報を格納するデータであり、画像データとメタ情報データとで構成される。その構造は、ページ単位で区分けされたデータの集合として構成される。ページデータ２０１は、文書データ２００の１つのページに関わるデータである。ページデータ２０１の構造は、メタ情報データ２０２とページ画像データ２０３とで構成される。メタ情報データ２０２には、ページデータ２０１に関わる付加情報が記述される。ページ画像データ２０３には、ページデータ２０１に関わる表示画像そのもの、あるいは表示画像を生成するときの基となる情報が記述される。表示画像を生成するときの基となる情報とは、テキストデータ、画像データが含まれる。
【００２０】
図５は、ページデータにおけるメタ情報データのパラメーター設定値を示す図である。メタ情報データテーブル３００には、ページ番号、フラグの付与、文字数などの属性と、その値が対応づけられて記述される。さらに、メタ情報データテーブル３００には、駆動制御パラメーターの属性とそのパラメーター値が記述される。パラメーター値は、第１の画像データを所定の期間において消去する消去ステップと、第２の画像データを供給する書き込みステップに関わる書き換え制御パラメーターが記述される（消去パラメーター３０１、書き込みパラメーター３０２）。具体的にはパラメーターは、第１の画像データを消去するときの消去ステップの回数、第２の画像データを書き込むときの書き込みステップの回数を示す、あるいは第１の画像データを消去するときの消去ステップの電圧の印加時間、第２の画像データを書き込むときの書き込みステップの電圧の印加時間を示す、さらには、前記の組み合わせで記述される。
【００２１】
（２．動作）
図６は、情報表示装置１の動作を示すフローチャートである。図６のフローは、例えば、ユーザーがある文書の表示を指示したことを契機として開始される。この文書は複数ページの画像から構成されている。
【００２２】
ステップＳ１００において、ＣＰＵ１０１は、文書のうち表示体１０７に表示させるページを示す変数（表示画像番号ｎ）を、ｎ＝１として初期化する。ステップＳ１１０において、ＣＰＵ１０１は、補助記憶装置１１５から第ｎページに関わるページデータを読み出し、ＲＡＭ１０３にデータを展開する。ステップＳ１２０において、ＣＰＵ１０１は、ステップＳ１１０で読み出したページデータのうちページ画像データから表示画像を生成し、ＶＲＡＭ１０４に表示画像を書き込む。
【００２３】
ステップＳ１３０において、ＣＰＵ１０１は、ステップＳ１１０で読み出したページデータのうちメタ情報データを参照し駆動パラメーターを算出し、ステップＳ１４０において、メタ情報テーブルに記述されている消去パラメーターと書き込みパラメーターを表示制御部１０８に設定する。
【００２４】
ステップＳ１５０において、ＣＰＵ１０１は、表示制御部１０８に消去ステップの実行命令を発行する。表示制御部１０８は、消去ステップの実行命令を受けると、ステップＳ１４０で設定された消去パラメーターに基づいて第１の画像データの消去駆動を開始する。ステップＳ１６０において、ＣＰＵ１０１は、消去駆動の終了を待つ。具体的には、表示制御部１０８からの消去駆動終了割り込みを待つ、あるいは、表示制御部１０８の状態をポーリングする。ステップＳ１６０において、消去駆動が終了した場合（ステップＳ１６０でＹＥＳ）には、ステップＳ１７０の処理に進む。
【００２５】
ステップＳ１７０において、ＣＰＵ１０１は、表示制御部１０８に書き込みステップの実行命令を発行する。表示制御部１０８は、書き込みステップの実行命令を受けると、ステップＳ１４０で設定された書き込みパラメーターに基づいて第２の画像データの書き込み駆動を開始する。ステップＳ１８０において、ＣＰＵ１０１は、書き込み駆動の終了を待つ。具体的には、表示制御部１０８からの書き込み駆動終了割り込みを待つ、あるいは、表示制御部１０８の状態をポーリングする。ステップＳ１８０において、書き込み駆動が終了した場合（ステップＳ１８０でＹＥＳ）には、表示画像の書き換え処理が終了したとして、図６のフローを終了する。
【００２６】
（２−１．変形例）
情報表示装置１および画像書き換え制御装置１０の機能構成は、図１に示したものに限定されない。割り込み処理手段３０、画像生成手段４０等の、画像書き換え制御装置１０が有さないものとして説明された機能を、画像書き換え制御装置１０が有してもよい。また、画像書き換え制御装置１０の機能として説明されたものの一部を、画像書き換え制御装置１０が有していなくてもよい。
【００２７】
また、機能構成とハードウェア構成の対応関係も上述の実施形態で説明したものに限定されない。例えば上述の実施形態では、ＣＰＵ１０１が割り込み処理手段３０、画像生成手段４０としての機能を兼ね備えていたが、これらの機能のうち一部または全部がＣＰＵ１０１以外のハードウェア要素により実現されてもよい。例えば、割り込み処理手段３０としての機能を有する割り込み監視回路が別途設けられてもよい。あるいは別の例で、表示制御部１０８以外の装置、例えばＣＰＵ１０１が、測定手段および算出手段１４としての機能を有していてもよい。この場合は、ＣＰＵ１０１および表示制御部１０８の集合体が画像書き換え制御装置１０として機能する。
【００２８】
（２−２．他の変形例）
情報表示装置１のハードウェア構成は図２で示されるものに限定されない。必要な機能構成を実現できるものであれば、どのようなハードウェア構成を有する装置が用いられてもよい。また上述の実施形態では情報表示装置１が電子ペーパーである例について説明したが、情報表示装置１は電子ペーパー以外の装置であってもよい。
【００２９】
上述の実施形態においてＣＰＵ１０１によって実行されるプログラムは、磁気記録媒体（磁気テープ、磁気ディスク（ＨＤＤ（Ｈａｒｄ  Ｄｉｓｋ  Ｄｒｉｖｅ）、ＦＤ（Ｆｌｅｘｉｂｌｅ  Ｄｉｓｋ））など）、光記録媒体（光ディスク（ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ））など）、光磁気記録媒体、半導体メモリー（フラッシュＲＯＭなど）などのコンピューター読取り可能な記録媒体に記憶した状態で提供されてもよい。また、このプログラムは、インターネットのようなネットワーク経由でダウンロードされてもよい。
【符号の説明】
【００３０】
１…情報表示装置、１０…画像書き換え制御装置、１１…書き換え手段、１２…制御手段、１３…記憶手段、１４…算出手段、２０…操作手段、３０…割り込み処理手段、４０…画像生成手段、５０…記憶手段、６０…表示装置、７０…画像記憶手段、１０１…ＣＰＵ、１０２…ＲＯＭ、１０３…ＲＡＭ、１０４…ＶＲＡＭ、１０５…Ｉ／Ｏ、１０６…ＵＩボタン群、１０７…表示体、１０８…表示制御部、１１１…電源オン・オフ回路、１１２…電源制御部、１１３…電池、１１４…バス、１１５…補助記憶装置、１１７…指紋センサー。
【図１】
2010197786.tif 000003
【図２】
2010197786.tif 000004
【図３】
2010197786.tif 000005
【図４】
2010197786.tif 000006
【図５】
2010197786.tif 000007
【図６】
2010197786.tif 000008